(57)【要約】【課題】かご枠の下梁の上にかご室を設置して芯出しを行なう際の作業を容易に能率よく、かつ無段階に微調整して行なうことができるエレベータかごの芯出し方法を提供する。【解決手段】かご枠と、このかご枠の下梁の上にかご室を防振ゴム１０を介して設置する際に、そのかご室の傾きを調整して芯出しを行なう芯出し方法であって、かご枠の下梁５にジャッキボルト２２を螺挿し、このジャッキボルト２２の螺進退操作で防振ゴム１０を上下に変位させて防振ゴム１０と下梁５との間の間隔Ｌを変えることでかご室の傾きを調整して芯出しを行なう。防振ゴム１０は、かご室の下部に複数均等的に設けられ、下梁５にはその各防振ゴム１０に対応して複数ずつジャッキボルト２２が設けられる。【選択図】図５
2013170042.tif 000002
【特許請求の範囲】
【請求項１】
かご枠と、このかご枠の下梁の上にかご室を防振ゴムを介して設置する際に、そのかご室の傾きを調整して芯出しを行なう芯出し方法であって、
前記かご枠の下梁にジャッキボルトを螺挿し、このジャッキボルトの螺進退操作で前記防振ゴムを上下に変位させてこの防振ゴムと前記下梁との間の間隔を変えることでかご室の傾きを調整して芯出しを行なうことを特徴とするエレベータかごの芯出し方法。
【請求項２】
前記防振ゴムは、前記かご室の下部に複数均等的に設けられ、前記下梁にはその各防振ゴムに対応して複数ずつジャッキボルトが設けられることを特徴とする請求項１に記載のエレベータかごの芯出し方法。
【発明の詳細な説明】
【技術分野】
【０００１】
この発明の実施形態は、エレベータかごの組立時や改修時などに、かご室の傾きを調整する芯出しを行なうエレベータかごの芯出し方法に関する。
【背景技術】
【０００２】
エレベータかごは、かご枠と、このかご枠内に設置されるかご室とを備えている。かご枠は下部に下梁を有し、この下梁の上にかご室が複数の防振ゴムを介して設置される。防振ゴムはかご室の振動を緩和して乗り心地を高める機能を果たす。
【０００３】
かご枠の下梁の上にかご室を設置する際には、水平な下梁に対するかご室の傾きを是正する芯出しの作業が行なわれる。この芯出しの作業は、防振ゴムと下梁との間に金属製薄板材からなるライナーを差し込むことにより行なわれる。すなわち、各防振ゴムと下梁との間に差し込むライナーの枚数を増減してその部分の高さを調整することでかご室の傾きが調整される。
【先行技術文献】
【特許文献】
【０００４】
【特許文献１】特開平８−１０４４８２号公報
【発明の概要】
【発明が解決しようとする課題】
【０００５】
しかしながら、各防振ゴムと下梁との間に差し込むライナーの枚数を増減して調整する手段では、手数と時間がかかり、作業能率が低下し、またライナーの枚数で高さが決まるため微調整も難しい。
【０００６】
この発明の実施形態は、このような点を課題としており、その目的とするところは、かご枠の下梁の上にかご室を設置して芯出しを行なう際の作業を容易に能率よく、かつ無段階に微調整して行なうことができるエレベータかごの芯出し方法を提供する。
【課題を解決するための手段】
【０００７】
このような課題を解決するために、請求項１の発明は、かご枠と、このかご枠の下梁の上にかご室を防振ゴムを介して設置する際に、そのかご室の傾きを調整して芯出しを行なう芯出し方法であって、前記かご枠の下梁にジャッキボルトを螺挿し、このジャッキボルトの螺進退操作で前記防振ゴムを上下に変位させてこの防振ゴムと前記下梁との間の間隔を変えることでかご室の傾きを調整して芯出しを行なうことを特徴としている。
【０００８】
請求項２の発明は、前記防振ゴムが、前記かご室の下部に複数均等的に設けられ、前記下梁にはその各防振ゴムに対応して複数ずつジャッキボルトが設けられることを特徴としている。
【図面の簡単な説明】
【０００９】
【図１】この発明の一実施形態を示し、かごの全体の構成を示す正面図。
【図２】そのかごのかご室を支持する防振ゴムを示す斜視図。
【図３】そのかご室の支持部分を拡大して示す正面図。
【図４】図３中のＡ−Ａ線に沿う断面図。
【図５】そのかご室の芯出しを行なう作業手順の工程を順に示す正面図。
【発明を実施するための形態】
【００１０】
以下、この発明の実施の形態について図面を参照して説明する。
【００１１】
図１には、かご１の全体の構成を示してある。かご１はかご枠２とかご室３とを備え、かご枠２は、下梁５と、この下梁５の両側の立梁６と、これら立梁６の上端間に架設された上梁７とを有し、下梁５の上に複数の防振ゴム１０を介してかご室３が設置されている。
【００１２】
防振ゴム１０は、図２に示すように、四角立方形のゴム部材１１と、このゴム部材１１の上下両面に接合固着された金属製の端板１２ａ，１２ｂとからなる。各端板１２ａ，１２ｂの四隅部にはそれぞれ互いに対称的にボルト挿入用の通し孔１３が形成されている。
【００１３】
図３には、下梁５に対するかご室３の支持部分の構造を拡大して示してある。図４にはその図３中のＡ−Ａ線に沿う断面図を示してある。防振ゴム１０は、かご室３の床下材３ａとかご枠２の下梁５との間に配置され、上面側の端板１２ａが床下材３ａに複数のボルト１４を介して固定され、下面側の端板１２ｂが下梁５に複数のボルト１５を介して固定される。すなわち、端板１２ａの四隅の各通し孔１３及び床下材３ａに形成された通し孔（図示せず）に渡ってボルト１４が挿入され、その挿入先端側にナット１７が螺着され、その各ボルト１４及びナット１７の締め付けで端板１２ａが床下材３ａに固定される。また端板１２ｂの四隅の各通し孔１３及び下梁５に形成された通し孔（図示せず）に渡ってボルト１５が挿入され、その挿入先端側にナット１８が螺着され、その各ボルト１５及びナット１８の締め付けで端板１２ｂが下梁５に固定される。
【００１４】
下梁５には、図４に示すように、防振ゴム１０の下側の端板１２ｂに対向する位置にジャッキボルト挿入用の通し孔２０が複数均等的に例えば４つ形成されている。下梁５の下面には、各通し孔２０に対応して、つまり通し孔２０と同心的にナット２１が溶接などにより固着されている。そして、各ナット２１に下梁５の下側から傾き調整用のジャッキボルト２２が螺挿されている。各ジャッキボルト２２の螺挿先端側は通し孔２０を通して下梁５の上側に突出し、その突出端面が防振ゴム１０の端板１２ｂに当接し、各ジャッキボルト２２を回して螺進退操作をすることで防振ゴム１０と下梁５との間隔Ｌを変化させることが可能となっている。そしてその防振ゴム１０と下梁５との間の隙間に幾枚かのライナー２５を差し込むことが可能となっている。
【００１５】
次に、かご１の組立や改修などに当たり、かご枠２の下梁５の上にかご室３を設置し、そのかご室３の傾きを調整する芯出しの作業を行なう手順について説明する。
【００１６】
まず、かご室３の床下材３ａの下面には、図１に示すように均等的に複数の防振ゴム１０を取り付ける。防振ゴム１０は、図５（Ａ）に示すように、ボルト１４及びナット１７を介して床下材３ａに取り付ける。そしてかご室３を下梁５の上に設置し、防振ゴム１０を介して所定の位置に支持し、図５（Ｂ）に示すように、防振ゴム１０の端板１２ｂを下梁５に形成されているジャッキボルト螺挿用のナット２１に対向させる。
【００１７】
次に、下梁５の各ナット２１にそれぞれ下梁５の下側からジャッキボルト２２を螺挿する。なお、各ジャッキボルト２２は予め各ナット２１に螺挿しておいてもよい。そして図５（Ｃ）に示すように、各ジャッキボルト２２をスパナなどの工具を用いて螺進させ、その先端面を防振ゴム１０の端板１２ｂに当接させて押し上げるとともに、さらに螺進退させて防振ゴム１０を上下に変位させ、防振ゴム１０の端板１２ｂと下梁５との間の間隔Ｌを変える。
【００１８】
このような操作を、かご室３の下部に均等的に設けられた各防振ゴム１０に対して適宜行なうことで、かご室３の傾きを調整する。そしてこの調整後に、図５（Ｄ）に示すように、防振ゴム１０の端板１２ｂと下梁５との間の隙間内にその隙間の間隔Ｌに応じる１枚あるいは複数枚のライナー２５を差し込み、かご室３の支持状態を安定化させる。この後、各防振ゴム１０の端板１２ｂと下梁５とに渡ってボルト１５を挿入し、ナット１８を螺着して締め付け、端板１２ｂを下梁５に固定する。
【００１９】
このように、この実施形態では、ジャッキボルト２２を用いて防振ゴム１０と下梁５との間隔Ｌを変えることで、かご室３の傾きを調整して芯出しを行なうものであり、したがってライナーを差し込みながら芯出しを行なう従来に比べ、容易に能率よくその芯出しの作業を行なえ、またジャッキボルト２２を用いるため、かご室３の傾きを無段階に精度よく調整することができる。
【００２０】
なお、前記実施形態では、かご室３の傾きをジャッキボルト２２で調整した後に、防振ゴム１０の端板１２ｂと下梁５との間の隙間内にライナー２５を差し込んでかご室３の支持状態を安定化させているが、ライナー２５の差し込みは必ずしも必要ではなく、かご室３の傾きの調整後に、ライナー２５を差し込まないまま、防振ゴム１０の端板１２ｂと下梁５とをボルト１５、ナット１８で締め付けて端板１２ｂを下梁５に固定するようにしてもよい。
【００２１】
すなわち、前記実施形態は、例として提示したものであり、発明の範囲を限定することは意図していない。この発明の新規な実施形態は、その他の様々な形態とすることが可能であり、発明の要旨を逸脱しない範囲で、種々の省略、置き換え、変更を行なうことができる。その実施形態やその変形は、発明の範囲や要旨に含まれるとともに、特許請求の範囲に記載された発明とその均等の範囲に含まれる。
【符号の説明】
【００２２】
１…かご
２…かご枠
３…かご室
３ａ…床下材
５…下梁
１０…防振ゴム
１１…ゴム部材
１２ａ．１２ｂ…端板
２１…ナット
２２…ジャッキボルト
２５…ライナー
【図１】
2013170042.tif 000003
【図２】
2013170042.tif 000004
【図３】
2013170042.tif 000005
【図４】
2013170042.tif 000006
【図５】
2013170042.tif 000007